Podtech/llm-jp-corpus-v4-ja_patent huggingface dataset:
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
骨を固定する骨プレートであって、
部分的に骨の周囲に巻き付くように構成され、締結具を収容するように構成された１対の位置合わせした孔を含む一体クリップ部分を備え、前記締結具が、前記位置合わせした孔の間で前記骨を通って延在し、前記位置合わせした孔の少なくとも１つの周囲で前記クリップ部分に係合することによって前記クリップ部分にロックされるようになっていることを特徴とする骨プレート。
【請求項２】
前記位置合わせした孔の少なくとも一方が細長い、請求項１に記載の骨プレート。
【請求項３】
前記位置合わせした孔のそれぞれが細長い、請求項２に記載の骨プレート。
【請求項４】
前記締結具がねじ山を有し、前記少なくとも１つの孔の周囲は、前記締結具が前記クリップ部分にロックされるように、当該締結具のねじ山に係合するように構成されたオフセットリップを含む、請求項２に記載の骨プレート。
【請求項５】
前記クリップ部分が、１対の対向するアームと、該対向アームを接続するブリッジ領域とを含み、前記クリップ部分は、前記ブリッジ領域が肋骨の上面に隣接して配置されるように、当該肋骨の上方から受容されるように構成される、請求項１から４のいずれか一項に記載の骨プレート。
【請求項６】
前記クリップ部分が概ねＵ字形である、請求項１から５のいずれか一項に記載の骨プレート。
【請求項７】
前記クリップ部分が対向するアームを有し、前記骨プレートが、さらに、前記骨に沿って延在し、少なくとも実質的に、前記対向アームの一方のみを通って前記クリップ部分に一体接合されるように構成されたスパン部分を備える、請求項１から６のいずれか一項に記載の骨プレート。
【請求項８】
前記クリップ部分が第１クリップ部分であり、さらに、前記スパン部分を通して前記第１クリップ部分に接続される第２クリップ部分を備える、請求項７に記載の骨プレート。
【請求項９】
前記第１クリップ部分および前記スパン部分が第１プレート構成要素に含まれ、さらに、前記第２クリップ部分を備え、前記骨に取り付けられるように構成されて、かつ前記スパン部分を介して前記第１プレート構成要素に接続される第２プレート構成要素を備える、請求項８に記載の骨プレート。
【請求項１０】
骨を固定する骨プレートであって、
少なくとも２つのクリップ部分を備え、各クリップ部分は、前記クリップ部分がアームの対の間で前記骨を収容するように構成されたアームの対を有し、さらに、
少なくとも実質的に、各クリップ部分の前記アームの一方のみを通って前記クリップ部分に接続され、前記骨の不連続部にスパンするために、前記骨に沿って前記少なくとも２つのクリップ部分の間に延在するように構成されたスパン部分を備えることを特徴とする骨プレート。
【請求項１１】
前記第１および第２クリップ部分のそれぞれが、前記クリップ部分を前記骨に取り付けるねじ山付き締結具を収容するように構成された１対の位置合わせした開口を含む、請求項１０に記載の骨プレート。
【請求項１２】
前記第１および第２クリップ部分のそれぞれが、前記骨の概ね対向する表面に隣接して配置されるように構成され、前記スパン部分が少なくとも実質的に、前記概ね対向する表面の一方のみに沿って延在するように構成される、請求項１０または１１に記載の骨プレート。
【請求項１３】
前記スパン部分及び前記第２クリップ部分が前記第１のクリップ部分と一体である、請求項１０〜１２のいずれか一項に記載の骨プレート。
【請求項１４】
骨を固定する骨プレートであって、
少なくとも２つのほぼＵ字形のクリップ部分であって、骨の概ね対向する表面に隣接して各クリップ部分が配置され、各クリップ部分が、該クリップ部分を骨に取り付ける締結具を収容するために少なくとも１つの孔を画定するように、前記骨を収容するように構成されたクリップ部分と、
前記少なくとも２つのクリップ部分に接続し、前記クリップ部分が前記骨を収容すると、前記骨の不連続部にスパンするように構成された非Ｕ字形スパン部分とを備えることを特徴とする骨プレート。
【請求項１５】
骨を固定するキットであって、
第１および第２クリップ部分およびスパン部分を有し、前記クリップ部分のそれぞれが、前記骨の概ね対向する表面に隣接して配置され、前記スパン部分が大部分または排他的に、前記概ね対向する表面の一方のみに沿って延在し、前記クリップ部分と接続するように、骨に取り付けるように構成された少なくとも１つの骨プレートと、
前記少なくとも１つの骨プレートを骨に取り付けるための少なくとも１つの締結具とを備えることを特徴とするキット。
【請求項１６】
前記第１クリップ部分と前記第２クリップ部分とが、互いに一体である、請求項８に記載の骨プレート。
【手続補正２】
【補正対象書類名】明細書
【補正対象項目名】０００７
【補正方法】変更
【補正の内容】
【０００７】
これらのプレートを使用する技術はそれぞれ、肋骨を固定するには欠点を有することがある。例えば、これらの技術は、骨折部位で肋骨に十分な屈曲および捩り支持を提供するには肋骨の安定化が十分ではない。骨ねじは、骨プレートを安定させるための、肋骨内への十分な引っ掛かりを達成しないことがある。肋骨が比較的細く、その骨密度が低いからである。線材、縫合材料および／または爪も、十分に剛性が高くないので、十分な骨プレートの安定化を提供しないことがある。したがってこれらのプレートを使用する技術はそれぞれ、呼吸する度に骨折部での動作を可能にし、多大な疼痛を引き起こして、癒合プロセスを損なう。さらに、線材、縫合材料および／または爪は、骨プレートの設置中にこれらの締結具を肋骨の内面に位置する神経血管束上に配置すると、この束を圧迫し、損傷することがある。このような締結具を神経血管束と骨との間に配置しても、束を損傷することがあり、一般的に手術時間を長くする。
【特許文献１】米国特許第４２６３９０４号明細書
【特許文献２】米国特許第５７２２９７６号明細書
【特許文献３】米国特許第４２０１２１５号明細書
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
揮発性液体を大気中に散布するための装置であって、
揮発性液体（２）を収納するリザーバ（１）と、該リザーバから大気に液体を伝達するように適合された、少なくとも１つの液体伝達部材（１２）とを含み、
前記伝達部材は、装置を動作させる前に、少なくとも１つの破損可能区間（７）を有する壁（５）によって、液体から隔離されているとともに、少なくとも１つのブレーカ要素（１１）が設けられており、該ブレーカ要素は、装置を動作させるときに、破損可能区間と接触させられるとそれを突き破り、それによって前記伝達部材を液体に晒すことができるようにされた、前記装置。
【請求項２】
伝達部材が毛細管チャネルを含む、請求項１に記載の装置。
【請求項３】
リザーバから大気中に揮発性液体を制御可能に散布する方法であって、
少なくとも１つの破損可能区間がその中に設けられている壁によって液体から隔離されて、リザーバから大気に液体を移送するように適合された伝達部材をリザーバ内に設けること、および
所望の際に、前記破損可能区間を突き破ることのできるブレーカ要素を強制して、その区間と破壊接触させて、それによって伝達部材を液体にさらすことによって散布を行わせることによる、前記方法。
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
ａ）タンパク質をコードするコドンを変える、
ｂ）変えられたコドンにより、目的タンパク質を発現させ、及び精製する、また
ｃ）変えられたコドンによる発現されるタンパク質は、元のコドンによる発現されるタンパク質と比べると、その機能が増強され、または、新たな機能を有する、即ち、その機能が調節される、
上記のステップを含む、一次アミノ酸配列を変えることなく、タンパク質の構造を調節する方法。
【請求項２】
ａ）タンパク質をコードするコドンを変える、
ｂ）変えられたコドンにより、目的タンパク質を発現させ、及び精製する、また
ｃ）変えられたコドンによる発現されるタンパク質は、元のコドンによる発現されるタンパク質と比べると、その機能が増強され、または、新たな機能を有する、即ち、機能が増強され、新たな機能を有するタンパク質が調整される、
上記のステップを含む、一次アミノ酸配列を変えることなく、機能が増強され、または、新たな機能を有するタンパク質を調製する方法。
【請求項３】
コドンを変えることで、タンパク質の発現量を増強させることを特徴とする請求項１又は２に記載の方法。
【請求項４】
請求項２または請求項３に記載の方法により、調製されるタンパク質。
【請求項５】
独特な二次または三次的な構造を有することを特徴とする請求項４に記載のタンパク質。
【請求項６】
変えられたコドンにより合成される遺伝子であって、発現される時、新たな機能を生じ、または、元の機能が増強される遺伝子、又は
前記遺伝子を含むベクター、又は
前記遺伝子を含む発現システム、又は
前記遺伝子を含む宿主細胞。
【請求項７】
新たな機能を有する、または元の機能が増強されるタンパク質の生産方法であって、
好適なコドンにより、構築された人工遺伝子を適当な宿主細胞にクローンされる段階と、
適当な培養条件で培養して、タンパク質を発現させる段階と、
発現したタンパク質を収集する段階を備えることを特徴とする生産方法。
【請求項８】
前記人工遺伝子がベクターに構築されることを特徴とする請求項７に記載の方法。
【請求項９】
発酵液から目的のタンパク質を抽出する、または封入体を収集して得られるタンパク質を変性及び再生することを含むことを特徴とする請求項７に記載の方法。
【請求項１０】
請求項７乃至９の何れかに記載の方法で、生産されるタンパク質。
【請求項１１】
請求項４、５又は１０に記載のタンパク質と適当なキャリヤーを含む組成物。
【請求項１２】
請求項４、５又は１０に記載のタンパク質と薬学的に許容されるキャリヤーを含む薬用組成物。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
個体における代謝障害を検出するキットであって、
(a)(i)１種又は複数の代謝の指標となる酵素、及び
(ii)１種又は複数の代謝被検体、
を含有する試料のための容器、
(b)該１種又は複数の酵素に対する１種又は複数の基質であって、前記少なくとも１種の酵素が、対応する基質に作用して、少なくとも１種の生成物を生じ得る条件下において、反応混合物を生成する基質、及び
(c)対応する基質に対する前記１種又は複数の酵素の作用する能力を阻害する試薬であって、前記１種又は複数の代謝被検体及び前記少なくとも１種の生成物が溶解性である試薬、
を含み、
前記被験試料中に含まれる、前記１種又は複数の代謝被検体及び前記少なくとも１種の生成物の存在又は量が質量分析により検出され、また、前記１種又は複数の代謝被検体及び前記少なくとも１種の生成物の決定された存在又は量が、該代謝障害の存在又は非存在に相関していることを特徴とするキット。
【請求項２】
前記代謝の指標となる酵素が、酸化還元酵素、加水分解酵素、脱離酵素、転移酵素、連結酵素及び異性化酵素からなる群より選択される、請求項１記載のキット。
【請求項３】
前記代謝被検体が、アシルカルニチン又は複数のアシルカルニチンである、請求項１記載のキット。
【請求項４】
更に、１種又は複数の参照基質を含み、前記１種又は複数の参照基質が、酵素反応が進行する前に添加される、請求項１記載のキット。
【請求項５】
更に、１種又は複数の参照生成物を含み、前記１種又は複数の参照生成物が、質量分析前に添加される、請求項1記載のキット。
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
Y g/Lの細胞乾燥物質（CDM）（ここで、Yは、100〜300g/Lの範囲で存在する）で、好気性条件下で発酵槽において栄養要求性海洋微生物を連続して培養するための方法であって、培養液１L当たり（Y×h）g（hは、1.1〜3.0の範囲である）の量で徐々に添加され、そして20〜100時間の滞留時間をもって、炭素源を含んで成る培養培地において、前記栄養要求性海洋微生物を培養することを含んで成り、こので前記炭素源がバイオマスの生成のために制限的であり、当該生成されるバイオマスの少なくとも40％が、クロロホルム：メタノールの混合物により抽出できる成分から構成される、前記の方法。
【請求項２】
前記培養培地が、培養液１L当たり（Y×h×f）（ここで、fは、0.002〜0.2の範囲である）の量で徐々に添加される、窒素源を含んで成る請求項１記載の方法。
【請求項３】
前記培養培地が、達成されるバイオマス濃度のために制限的でない量で、徐々に添加される、バイオマス形成のために必要とされる塩、鉱物及び任意には、ビタミンを含んで成る請求項１記載の方法。
【請求項４】
ｈが、1.1〜2.5の範囲、特に1.2〜2.0の範囲である請求項１記載の方法。
【請求項５】
ｆが、0.004〜0.1の範囲、特に0.01〜0.04の範囲である請求項２〜４のいずれか１項記載の方法。
【請求項６】
前記栄養要求性海洋微生物が、藻類である請求項１〜５のいずれか１項記載の方法。
【請求項７】
前記栄養要求性海洋微生物が、トラウストキトリドsp.(Thraustochytrids sp.)である請求項１〜６のいずれか１項記載の方法。
【請求項８】
前記トラウストキトリドsp.が、シゾキトリウム（Schizochytrium）又はトラウストキトリウム（Thraustochytrium）から成る群から選択される請求項１〜７のいずれか１項記載の方法。
【請求項９】
前記培養温度が、20〜35℃の範囲である請求項１〜８のいずれか１項記載の方法。
【請求項１０】
前記培養培地のpHが、3.0〜9.0の範囲である請求項１〜９のいずれか１項記載の方法。
【請求項１１】
前記クロロホルム及びメタノールが、２：１（v/v）の比で混合される請求項１記載の方法。
【請求項１２】
少なくとも0.2gのDHA/l/hのポリエン酸生産性が達成される請求項１〜11のいずれか１項記載の方法。
【請求項１３】
前記連続培養工程における培養液の滞留時間が、一定に維持され、そして20〜100hの範囲である請求項１〜12のいずれか１項記載の方法。
【請求項１４】
前記連続培養工程における培養液の滞留時間が、20〜100の範囲内で変化する請求項１〜13のいずれか１項記載の方法。
【請求項１５】
前記連続的培養が、次の３培養段階：
ａ）初期バッチ工程、続いて
ｂ）フェドバッチ工程、続いて
ｃ）連続工程、
を含んで成る請求項１記載の方法。
【請求項１６】
前記溶解される酸素のレベルが、段階ｃ）の開始から10％以下の飽和で維持される請求項15記載の方法。
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
一方の端に駆動ヘッドを有し、他方の端に穿刺針を有する本体を備え、前記本体は本体両側で前記穿刺針の先端位置に向かって突き出す一体成形のウェブを備え、前記ウェブはフレキシブル材料で波状に成形されておりスプリング要素として作動するランセット。
【請求項２】
２つのウェブの波状体が互いに位相が異なっている請求項１に記載のランセット。
【請求項３】
取外しのできる保護キャップが針の露出端の上側に備えられている請求項１又は請求項２に記載のランセット。
【請求項４】
前記キャップが壊れやすい接続部材によって前記ウェブの自由端部に接続されている請求項３に記載のランセット。
【請求項５】
請求項１から請求項４のいずれかに記載のランセットを収納するケーシングを備え、当該収納用のケーシングハウジングと前記ランセットの駆動ヘッドの間に配置した駆動スプリングを備えるランセットホルダー。
【請求項６】
前記ランセットの前記駆動ヘッドが前記ケーシングの可動リブに係止されたフランジを備え、前記ケーシング上の可撓性のあるボタンが前記リブを前記フランジから外し、前記駆動スプリングが前記ランセットを前方に駆動することができる、請求項５に記載のランセットホルダー。
【請求項７】
前記針先端がケーシング上のフランジの上側に配置されたヘッドの付いた取外しできる保護キャップで覆われ、当該ヘッドは捻るとフランジから外すことができ、前記キャップを外して針先端を露出することができる請求項５又は請求項６に記載のランセットホルダー。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
ａ）チモーゲンを試料に曝露する工程であって、該チモーゲンが外因性ペプチドおよび該外因性ペプチドによって阻害されるシグナル酵素を含み、該曝露が、該外因性ペプチドの修飾を容易にする条件下で起こる工程；ならびに
ｂ）修飾または修飾の非存在を検出する工程であって、該修飾が該外因性ペプチドの切断を含み、該切断によって該シグナル酵素の活性化および検出可能なシグナルの生成がもたらされる工程
を含む、ペプチドの修飾を検出する方法。
【請求項２】
該外因性ペプチドが該シグナル酵素の活性部位を立体的に妨げることによって該シグナル酵素を阻害する、請求項１記載の方法。
【請求項３】
該外因性ペプチドが該シグナル酵素を不活性なコンフォメーションに折りたたませることによって該シグナル酵素を阻害する、請求項１記載の方法。
【請求項４】
該検出可能なシグナルが、該シグナル酵素が検出可能に標識された基質と相互作用した後に生じる、請求項１記載の方法。
【請求項５】
ａ）ある構造を試料に曝露する工程であって、該構造が外因性ペプチドおよび少なくとも１つの補因子を含む、該外因性ペプチドの修飾を容易にする条件下での工程；ならびに
ｂ）修飾または修飾の非存在を検出する工程であって、該修飾が該外因性ペプチドの切断を含み、該切断によって、チモーゲンを活性化シグナル酵素にさせる補因子がもたらされ、該切断によって検出可能なシグナルももたらされる工程
を含む、基質の修飾を検出する方法。
【請求項６】
該検出可能なシグナルが、該活性化シグナル酵素が検出可能に標識された基質と相互作用した後に生じる、請求項５記載の方法。
【請求項７】
該補因子が金属イオンである、請求項５記載の方法。
【請求項８】
該構造が少なくとも３つの補因子を含む、請求項５記載の方法。
【請求項９】
該構造が該補因子を固定し、該外因性ペプチドの修飾によって、該補因子を放出する構造がもたらされる、請求項５記載の方法。
【請求項１０】
該シグナル酵素がラッカーゼ、CotA酵素、緑色蛍光タンパク質、ルシフェラーゼおよびホースラディッシュペルオキシダーゼからなる群より選択されるタンパク質を含む、請求項１または５記載の方法。
【請求項１１】
ａ）外因性ペプチドを試料に曝露する工程であって、該外因性ペプチドが少なくとも２つの酵素に付着し、該外因性ペプチドが該酵素を阻害し、該曝露が、該外因性ペプチドの修飾を容易にする条件下で起こる工程；ならびに
ｂ）修飾または修飾の非存在を検出する工程であって、該修飾が該外因性ペプチドの切断を含み、該切断によって該酵素の活性化および検出可能なシグナルがもたらされる工程
を含む、ペプチドの修飾を検出する方法。
【請求項１２】
該検出可能なシグナルが、活性化された酵素の１つが検出可能に標識された基質と相互作用した後に生じる、請求項１１記載の方法。
【請求項１３】
該酵素の１つが、検出可能に標識された基質および第二の酵素に特異的である、請求項１１記載の方法。
【請求項１４】
ａ）複合体を試料に曝露する工程であって、該複合体が少なくとも１つの外因性ペプチドおよび該外因性ペプチドによって阻害される少なくとも２つの酵素を含み、該曝露が、該外因性ペプチドの修飾を容易にする条件下で起こる工程；ならびに
ｂ）修飾または修飾の非存在を検出する工程であって、該修飾が該外因性ペプチドの切断を含み、該切断によって検出可能なシグナルがもたらされる工程
を含む、基質の修飾を検出する方法。
【請求項１５】
該外因性ペプチドが、立体的に活性部位を妨げることによって該酵素の少なくとも１つを阻害する、請求項１１または１４記載の方法。
【請求項１６】
該外因性ペプチドが該酵素の少なくとも１つを、該酵素を不活性なコンフォメーションに折りたたませることによって阻害する、請求項１１または１４記載の方法。
【請求項１７】
該切断が該酵素を活性化し、活性化された酵素の少なくとも１つが検出可能に標識された基質と相互作用して該シグナルを生じる、請求項１４記載の方法。
【請求項１８】
該外因性ペプチドが微生物によって産生されるタンパク質によって切断される、請求項１、５、１１または１４いずれか記載の方法。
【請求項１９】
該酵素の少なくとも一つがラッカーゼ、CotA酵素、緑色蛍光タンパク質、ルシフェラーゼおよびホースラディッシュペルオキシダーゼからなる群より選択されるタンパク質を含む、請求項１１または１４記載の方法。
【請求項２０】
該CotA酵素がCotA変異体を含む、請求項１０または１９記載の方法。
【請求項２１】
ａ）チモーゲンを液体試料に曝露する工程であって、該チモーゲンが外因性ペプチドおよび該外因性ペプチドによって阻害されるシグナル酵素を含み、該チモーゲンが付着点において固体表面と付着し、該曝露が、該外因性ペプチドの修飾を容易にする条件下で起こる工程；ならびに
ｂ）修飾または修飾の非存在を検出する工程であって、ここで該修飾が該外因性ペプチドの切断を含み、該切断によって該シグナル酵素の活性化、該固体表面からの該シグナル酵素の分離および検出可能なシグナルがもたらされる工程
を含む、ペプチドの修飾を検出する方法。
【請求項２２】
該シグナル酵素が固体表面に付着した検出可能な基質と相互作用する、請求項２１記載の方法。
【請求項２３】
該シグナル酵素が液体中の検出可能な基質と相互作用する、請求項２１記載の方法。
【請求項２４】
外因性ペプチドに共有結合した酵素を含む合成チモーゲンであって、ここで該外因性ペプチドが該酵素の酵素活性を阻害し、該外因性ペプチドが微生物によって産生される酵素の標的を含む、合成チモーゲン。
【請求項２５】
該酵素がラッカーゼ、CotA酵素、緑色蛍光タンパク質、ルシフェラーゼおよびホースラディッシュペルオキシダーゼからなる群より選択されるタンパク質を含む、請求項２４記載の合成チモーゲン。
【請求項２６】
各々が外因性ペプチドに共有結合した少なくとも２つの酵素を含むチモーゲン複合体であって、該外因性ペプチドが各酵素の酵素活性を阻害する、チモーゲン複合体。
【請求項２７】
該酵素の少なくとも１つがラッカーゼ、CotA酵素、緑色蛍光タンパク質、ルシフェラーゼおよびホースラディッシュペルオキシダーゼからなる群より選択されるタンパク質を含む、請求項２６記載のチモーゲン複合体。
【請求項２８】
該CotA酵素がCotA変異体を含む、請求項２５または２７記載のチモーゲン複合体。
【請求項２９】
該外因性ペプチドが微生物によって産生される酵素の標的ペプチドである、請求項２６記載のチモーゲン複合体。
【請求項３０】
ａ）固体表面；
ｂ）該固体表面に付着したペプチド基質；および
ｃ）該ペプチド基質に付着したチモーゲンであって、該ペプチド基質によって阻害されるシグナル酵素を含むチモーゲン
を含む、テスト装置。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
少なくとも２つの免疫原性標的を共発現させるための発現ベクターであって、該免疫原性標的は、NY-ESO-1、TRP-2、gp100、gp100M、MART抗原MART-1、MAGE抗原MAGE-1およびMAGE-3より成る群から選択されることを特徴とする発現ベクター。
【請求項２】
少なくとも１つの血管形成関連抗原をコードする核酸配列をさらに含むことを特徴とする請求項１記載の発現ベクター。
【請求項３】
少なくとも１つの共刺激成分をコードする核酸配列をさらに含むことを特徴とする請求項１または２記載の発現ベクター。
【請求項４】
共刺激成分がヒトB7.1であることを特徴とする請求項３記載の発現ベクター。
【請求項５】
プラスミドまたはウイルスベクターであることを特徴とする請求項１から４いずれか１項記載の発現ベクター。
【請求項６】
ウイルスベクターは、ポックスウイルス、アデノウイルス、レトロウイルス、ヘルペスウイルス、およびアデノ関連ウイルスより成る群から選択されることを特徴とする請求項５記載の発現ベクター。
【請求項７】
ウイルスベクターは、ワクシニア、NYVAC、アビポックス、カナリアポックス、ALVAC、ALVAC(2）、鶏痘およびTROVACより成る群から選択されるポックスウイルスであることを特徴とする請求項６記載の発現ベクター。
【請求項８】
ウイルスベクターは、NYVAC、ALVACおよびALVAC(2）より成る群から選択されるポックスウイルスであることを特徴とする請求項７記載の発現ベクター。
【請求項９】
請求項１から８いずれか１項記載の発現ベクター、ならびに薬剤学的に許容されるキャリヤーを含むことを特徴とする組成物。
【請求項１０】
請求項１から８いずれか１項記載の発現ベクターを含むことを特徴とする、癌の予防または治療用組成物。
【請求項１１】
薬剤学的に許容されるキャリヤーをさらに含むことを特徴とする請求項１０記載の組成物。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
生物学的生育培地を生物学的スキャナー内に引き寄せる運搬機構、
前記生物学的スキャナー内のプラテン、
前記プラテンに隣接するスキャニング位置に前記生物学的生育培地が引き寄せられると検出する１つ以上のセンサー、
前記生物学的生育培地が前記スキャニング位置に引き寄せられたことを前記１つ以上のセンサーが検出すると、前記生物学的生育培地を前記プラテンに押しつけるアクチュエータ、および、
前記生物学的生育培地が前記プラテンに押しつけられると、前記生物学的生育培地の画像を生成する画像形成装置、
を含む、生物学的生育培地をスキャニングするための生物学的スキャナー。
【請求項２】
前記生物学的生育培地が前記プラテンに押しつけられると、前記生物学的培地の上面を照明する第１の照明装置、および
前記生物学的生育培地が前記プラテンに押しつけられると、前記生物学的培地の底面を照明する第２の照明装置、
をさらに含む、請求項１に記載の生物学的スキャナー。
【請求項３】
生物学的生育培地を生物学的スキャナー内に受け入れるステップと、
前記生物学的生育培地を前記スキャナー内の第１のスキャニング位置に引き寄せるステップと、
前記生物学的生育培地の第１の画像を生成するステップと、
前記生物学的生育培地を前記スキャナー内の第２のスキャニング位置に引き寄せるステップと、
前記生物学的生育培地の第２の画像を生成するステップと、
を含む方法。
【請求項４】
前記第１のおよび第２の画像をコンピューターに通信するステップと、
前記第１の画像を処理して前記生物学的生育培地を同定するステップと、
前記第２の画像を処理して前記第２の画像に基づいて前記培地中の生物学的作用物質をカウントするステップをさらに含み、
前記第１の画像を処理するステップ、および前記第２の画像を処理するステップが前記コンピューターで起き、前記コンピューターが前記生物学的スキャナーに対して外部である、請求項３に記載の方法。
【手続補正２】
【補正対象書類名】明細書
【補正対象項目名】００４８
【補正方法】変更
【補正の内容】
【００４８】
換言すれば、センサー５２Ａ〜５２Ｃは、生物学的スキャナー３０を通る処理の流れを制御する。第１のセンサー５２Ａは生育プレートを検出して、生育プレート１２を生物学的センサー内に引き寄せるプロセスを開始する。第２のセンサー５２Ｂは、第１のスキャニング位置において生育プレート１２を検出して、画像形成を引き起こさせる。画像形成後、生育プレート１２を生物学的スキャナー３０内にさらに引き寄せる。次に第３のセンサー５２Ｃが、第２のスキャニング位置において生育プレート１２を検出して、再度画像形成を引き起こさせる。次に生育プレート１２を生物学的スキャナー３０から排出する。多数のその他のセンサー配置もまた画定できる。一般にセンサー５２の組は生育プレートの位置を検出して、生育プレートにある印の画像、および生育プレートの生育領域の画像をはじめとする生育プレートの所望の画像が生成できるように、作動が妥当な時に起きるようにすることで、生物学的生育プレートの自動化された取り込みおよび処理を容易にする。しかしその他の実施形態では、センサーの代わりに画像形成装置３２（図３）を使用して、生育プレートを検出および配置を容易にしてもよい。
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
弁胴；第１弾性材料からなる第１軸シール；第２弾性材料からなる第２軸シール；並びに前記第１軸シール及び第２軸シールの少なくとも１つと摺動可能に係合している弁軸を含む、定量噴霧式吸入器中に使用するための計量弁であって、前記弁胴と第１軸シール及び／または第２軸シールとが計量チャンバを画定し、前記第１弾性材料及び第２弾性材料が異なる材料である前記計量弁。
【請求項２】
開口を有する容器；前記容器中の開口を覆うキャップ；前記キャップに隣接し、第１弾性材料からなる少なくとも１つの軸シールを含む計量弁；及びエアゾール医薬製剤を収容するように構成されている密封容器を得るための、前記キャップと容器の間に位置する、第２弾性材料からなるキャップシール；を含む、エアゾール医薬製剤を収容するように構成されている密封容器であって、前記第１弾性材料及び第２弾性材料が異なる弾性材料である前記密封容器。
【請求項３】
密封容器及び前記密封容器内に収容されているエアゾール医薬製剤からなる薬物ディスペンサーであって、前記密封容器が、開口を有する容器；前記容器中の開口を覆うキャップ；前記キャップに隣接し、第１弾性材料からなる少なくとも１つの軸シールを含む計量弁；及びエアゾール医薬製剤を収容するように構成されている密封容器を得るための、前記キャップと容器の間に位置する、第２弾性材料からなるキャップシール；を含み、前記第１弾性材料及び第２弾性材料が異なる弾性材料である前記薬物ディスペンサー。
【請求項４】
開口を有する容器、前記容器中の開口を覆うように構成されているキャップ、第１弾性材料からなる少なくとも１つの軸シールを含む計量弁、及び第２弾性材料からなるキャップシールを含む密封容器に、エアゾール医薬製剤を充填して、薬物ディスペンサーを提供することを含む薬物ディスペンサーの作製方法であって、前記第１弾性材料及び第２弾性材料が異なる弾性材料である前記方法。
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
ＩＯＬインジェクターデバイスであって、以下：
ａ）インジェクター本体；
ｂ）ＩＯＬを放出可能に保持するように適合された保持具であって、該保持具およびＩＯＬは、該インジェクター本体に取り外し可能に連結される、保持具
を備え、それによって、該保持具を該インジェクター本体から取り外す際に、該ＩＯＬは該保持具から放出され、そして該インジェクター本体内に位置する、ＩＯＬインジェクターデバイス。
【請求項２】
請求項１に記載のインジェクターデバイスであって、前記ＩＯＬは、前記保持具によって、応力を受けない状態で保持される、インジェクターデバイス。
【請求項３】
請求項１に記載のインジェクターデバイスであって、前記ＩＯＬは、前記インジェクター本体からの前記保持具の取り外しの際に、該インジェクター本体内に、応力を受けない状態で位置する、インジェクターデバイス。
【請求項４】
請求項１に記載のインジェクターデバイスであって、前記保持具が前記インジェクター本体から取り外される際に、該保持具から前記ＩＯＬを放出するためのストリッパーフィンガーをさらに備える、インジェクターデバイス。
【請求項５】
請求項４に記載のインジェクターデバイスであって、該インジェクターデバイスは、前記ＩＯＬを圧縮するための圧縮器をさらに備え、該圧縮器は、前記インジェクター本体に連結されて、該インジェクター本体に対して開いた位置と閉じた位置との間に移動可能であり、該閉じた位置は、該インジェクター本体の管腔内部で圧縮されたＩＯＬを生じる、インジェクターデバイス。
【請求項６】
請求項５に記載のインジェクターデバイスであって、前記ストリッパーフィンガーは、前記圧縮器に取り付けられ、該圧縮器と一緒に移動可能であり、該ストリッパーフィンガーは、前記保持具が前記インジェクター本体から取り外される際に、前記ＩＯＬが該保持具と一緒に放出されるのを防ぐために、該保持具と該ＩＯＬとの間で移動するように作動可能である、インジェクターデバイス。
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
血管形成用バルーンカテーテルに対して固定されるように適合された非展開式ステントであって：
近位端；
遠位端；
下にあるバルーンの拡張の際に短縮する、該端の間の少なくとも１つの拡張部分；および
該端の一方から延び、かつカテーテル本体に対して固定されるように適合された、少なくとも１つの伸長部分であって、該バルーンの膨張の際の該拡張部分の拡張に適応するように延びる蛇行した環を備える、伸長部分
を備え、そして、
該ステントの拡張部分は、該バルーンの収縮の際に、該ステントが縮まるようなメモリを有する、ステント。
【請求項２】
前記ステントが、ニッケルとチタンとの合金からなる、請求項１に記載のステント。
【請求項３】
１つの伸長部分が前記ステントの前記近位端上に位置し、別の伸長部分が該ステントの前記遠位端上に位置する、請求項１または２に記載のステント。
【請求項４】
少なくとも３セットの蛇行した環を備える、請求項１〜３に記載のステント。
【請求項５】
前記拡張部分が延長連結部を備える、請求項１〜４に記載のステント。
【請求項６】
前記延長連結部が、Ｚ字形を有する、請求項５に記載のステント。
【請求項７】
前記延長連結部が、ジグザグな形状を有する、請求項５に記載のステント。
【請求項８】
前記ステントが、レーザー切断されたハイポチューブからなる、請求項１〜７に記載のステント。
【請求項９】
前記拡張部分が、接着剤を用いて前記カテーテルに装着可能である、請求項１〜８に記載のステント。
【請求項１０】
バルーンカテーテルであって：
請求項１〜９のいずれか一項に記載の非展開式ステント；および
膨張可能なバルーンを有するカテーテル
を備え、ここで、
該ステントが、該バルーンの上に配置され、伸長部分が、該カテーテルに装着される、バルーンカテーテル。
【手続補正書】
【提出日】平成19年3月29日(2007.3.29)
【手続補正１】
【補正対象書類名】明細書
【補正対象項目名】００３０
【補正方法】変更
【補正の内容】
【００３０】
本発明の遺伝子は、配列番号１の核酸配列、およびたとえばその対立遺伝子変異体、ならびにそれらの相補配列；およびたとえば、本発明の遺伝子の核酸配列とたとえばストリンジェント条件下でハイブリダイズするポリヌクレオチドをたとえば含む、配列番号５、配列番号６、配列番号７、配列番号８または配列番号９配列のポリヌクレオチドのような、そのスプライス変異体を含む。たとえば、本発明の遺伝子のヌクレオチド配列は、たとえば遺伝子コードの冗長（縮重）の結果として、本発明の遺伝子のヌクレオチド配列とは異なるが、また、たとえば同じ生物学的活性を有する本発明のセラミドキナーゼ様タンパク質、たとえばその一部をコード化するか、またはたとえば、少なくとも８０％、たとえば８０％から１００％、たとえば９０％、たとえば９５％、たとえば９７％たとえば９９％または１００％の同一性を有するアミノ酸配列を有する、本発明のアミノ酸のセラミドキナーゼ様タンパク質をコード化する；該同一性は、ｎａ＝ｘａ−（ｘａ．ｙ）（ここで、ｎａはアミノ酸変化の数であり、ｘａは該対応するアミノ酸配列のアミノ酸の全数であり、そしてｙは１００で割ったパーセント同一性である）により計算され、かつ同じ生物学的活性を有する；本発明の遺伝子の対立遺伝子変異体またはスプライス変異体で生産された本発明のセラミドキナーゼ様タンパク質を含む。
【手続補正２】
【補正対象書類名】明細書
【補正対象項目名】００４８
【補正方法】変更
【補正の内容】
【００４８】
本発明に記載のセラミドキナーゼ様タンパク質を、組み換え細胞培養物から適当に、たとえば常套の方法と同様に、たとえば界面活性剤抽出、超遠心分離、硫酸アンモニウムまたはエタノール沈殿、酸抽出、陰イオンまたは陽イオン交換クロマトグラフィー、ホスホセルロースクロマトグラフィー、疎水性相互作用クロマトグラフィー、アフィニティークロマトグラフィー、ヒドロキシルアパタイトクロマトグラフィー、レクチンクロマトグラフィー、たとえば高速液体クロマトグラフィーを含む方法で、回収（単離）し得る。本発明に記載のセラミドキナーゼ様タンパク質が単離およびまたは精製の間に変性するとき、活性コンホメーションの再生、たとえば変性ポリペプチドの再折りたたみが、適当に、たとえば常套の方法と同様に行われ得る。
【手続補正３】
【補正対象書類名】明細書
【補正対象項目名】００６７
【補正方法】変更
【補正の内容】
【００６７】
したがって他の局面において、本発明は、本発明のセラミドキナーゼ様タンパク質のポリペプチドのアゴニストまたはアンタゴニストを同定するためのスクリーニングアッセイを提供し、このアッセイは、主な要素として
ａ）本発明のセラミドキナーゼ様タンパク質のポリペプチド、または
ｂ）ポリペプチドａ）を発現する組み換え細胞、または
ｃ）ａ）に記載のポリペプチドを発現する細胞膜、または
ｄ）ポリペプチドａ）に対する抗体；
およびたとえば候補化合物と接触させるための手段；
およびたとえば候補化合物のａ）、ｂ）、ｃ）またはｄ）のいずれかに対する効果を測定するための手段、たとえば候補化合物の存在下および不存在下におけるａ）、ｂ）、ｃ）またはｄ）のいずれかの活性の比較によって；
たとえば、候補化合物の存在下で、ポリペプチドａ）の生産およびまたは生物学的活性に減少または増加が存在するかどうかを決定するための手段；
を含み、
【手続補正４】
【補正対象書類名】明細書
【補正対象項目名】００６８
【補正方法】変更
【補正の内容】
【００６８】
そして他の局面において、
本発明のセラミドキナーゼ様タンパク質の生産および／または生物学的活性を上昇または減少させる、たとえばリガンド、レセプター、抗体またはＬＭＷ’ｓを含む、アゴニストまたはアンタゴニストを同定する方法であって、
Ａ）
ａ）本発明のセラミドキナーゼ様タンパク質のポリペプチド、または
ｂ）ポリペプチドａ）を発現する組み換え細胞、または
ｃ）ポリペプチドａ）を発現する細胞膜、または
ｄ）ポリペプチドａ）に対する抗体
を、候補化合物と接触させること、
Ｂ）ａ）、ｂ）、ｃ）またはｄ）のいずれかにおける候補化合物の効果を測定すること；
たとえば候補化合物の存在下および不存在下におけるａ）、ｂ）、ｃ）またはｄ）のいずれかの活性の比較によって、
たとえば、候補化合物の存在下で、本発明のセラミドキナーゼの生産およびまたは生物学的活性に減少または増加が存在するかどうかを決定すること；
Ｃ）ステップＢ）で測定されたアゴニストまたはアンタゴニストを選択すること、
たとえば、アゴニスト／アンタゴニスト効果がステップＢ）で明確に測定された適当な候補化合物を選択すること
を含む方法
を提供する。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
系を監視する方法であって、該系の少なくとも１つのパラメータに関して表示スクリーン上にデータライン表示が、
−  当該パラメータの値の時間に伴う変化を記録し、
−  当該パラメータに関する基本値を決定し、
−  前記基本値と、現在のパラメータ値又は連続するパラメータ値の前記現在のパラメータ値を含むような特定の群の現在の平均値との間の瞬時的ずれを決定し、
−  前記基本値を表す基本ラインを作成し、
−  前記基本ラインを前記表示スクリーン上に、前記基本ラインが前記表示スクリーン上に水平に且つ指定された長さで延びるように表示し、
−  指定された期間にわたる前記パラメータ値の時間に伴う変化を表すと共に、前記基本ラインに対して正規化された連続曲線を作成し、
−  前記連続曲線を前記表示スクリーン上に、該連続曲線の時間軸が前記表示スクリーン上で水平に延び、且つ、前記表示スクリーン上の該連続曲線が実質的に前記基本ラインの全長にわたり延びるように表示し、
−  前記瞬時的ずれを表すと共に、前記基本ラインに対して正規化された偏差バーを作成し、
−  前記偏差バーを前記表示スクリーン上に、該偏差バーが前記表示スクリーン上において前記基本ラインのレベルから垂直に延びるように表示する、
ように発生されることを特徴とする方法。
【請求項２】
請求項１に記載の方法において、前記データライン表示が傾向矢印を有し、該傾向矢印が、
−  前記現在のパラメータ値における時間に伴う値の変化の傾向を決定し、
−  前記傾向を表す前記傾向矢印を作成し、
−  該傾向矢印を前記表示スクリーン上に表示する、
ように発生されることを特徴とする方法。
【請求項３】
請求項２に記載の方法において、前記傾向矢印が前記表示スクリーン上に、該傾向矢印が前記表示スクリーン上の前記連続曲線の一端に隣接して配置されるように表示されることを特徴とする方法。
【請求項４】
請求項２又は請求項３に記載の方法において、前記傾向矢印が前記表示スクリーン上に、正の瞬時的傾斜の場合は該傾向矢印が上方を指し、負の瞬時的傾斜の場合は該傾向矢印が下方を指すように表示されることを特徴とする方法。
【請求項５】
請求項２ないし４の何れか一項に記載の方法において、前記傾向矢印の向きが、前記瞬時的傾斜の値に依存することを特徴とする方法。
【請求項６】
請求項２ないし５の何れか一項に記載の方法において、前記傾向矢印が前記表示スクリーン上で前記連続曲線と前記偏差バーとの間に配置されるか、又は前記傾向矢印が前記表示スクリーン上に、前記偏差バーが該傾向矢印と前記連続曲線との間に位置するように配置されることを特徴とする方法。
【請求項７】
請求項２ないし６の何れか一項に記載の方法において、前記瞬時的傾斜が値ゼロを有するか、又は該値ゼロを含む指定された間隔内にある場合に、前記傾向矢印が前記連続曲線の一端において垂直方向を指すことを特徴とする方法。
【請求項８】
請求項１ないし７の何れか一項に記載の方法において、前記連続曲線の表示を不活性化することができることを特徴とする方法。
【請求項９】
請求項１ないし８の何れか一項に記載の方法において、前記偏差バーが前記表示スクリーン上で前記連続曲線の最近側の端部に隣接して延在することを特徴とする方法。
【請求項１０】
請求項１ないし９の何れか一項に記載の方法において、
−  前記データライン表示は長方形窓を有し、該長方形窓の頂辺及び底辺は前記基本ラインに対し平行に延びると共に、該基本ラインから垂直方向に同一の幾何学的間隔を有し、
−  当該パラメータに対する指定された上限値が、前記頂辺に割り当てられ、
−  当該パラメータに対する指定された下限値が、前記底辺に割り当てられ、
−  前記連続曲線及び前記偏差バーが、更に、前記上限値及び前記下限値に対して正規化されている、
ことを特徴とする方法。
【請求項１１】
請求項１０に記載の方法において、
−  前記上限値を表す上限値ラインが作成されると共に、前記表示スクリーン上に、該上限値ラインが前記長方形窓の前記頂辺上に実質的に前記基本ラインの全長にわたって延びるように表示され、
−  前記下限値を表す下限値ラインが作成されると共に、前記表示スクリーン上に、該下限値ラインが前記長方形窓の前記底辺上に実質的に前記基本ラインの全長にわたって延びるように表示される、
ことを特徴とする方法。
【請求項１２】
請求項１０又は請求項１１に記載の方法において、前記頂辺及び前記底辺は前記表示スクリーン上において前記基本ラインから同一の幾何学的間隔を有するが、前記限界値は前記基本値から異なる数値的間隔を有することを特徴とする方法。
【請求項１３】
請求項１ないし１２の何れか一項に記載の方法において、前記連続曲線は前記現在のパラメータ値はカバーしないが、指定された期間において前記現在のパラメータ値に先行するようなパラメータ値はカバーすることを特徴とする方法。
【請求項１４】
請求項１ないし１３の何れか一項に記載の方法において、複数の異なるパラメータに対して、その都度、別個のデータライン表示が、複数のデータライン表示が前記表示スクリーン上で水平方向に互いに隣り合って配置されると共に、水平方向に隣接するデータライン表示の前記基本ラインが前記表示スクリーン上で互いに同軸的に整列して配置されるように発生されることを特徴とする方法。
【請求項１５】
請求項１０に従属する請求項１４に記載の方法において、
−  水平方向に隣接するデータライン表示の前記長方形窓の前記頂辺が、前記表示スクリーン上で互いに同軸的に整列して配置され、
−  水平方向に隣接するデータライン表示の前記長方形窓の前記底辺が、前記表示スクリーン上で互いに同軸的に整列して配置される、
ことを特徴とする方法。
【請求項１６】
請求項１ないし１５の何れか一項に記載の方法において、前記系の複数の異なるパラメータから少なくとも１つのパラメータを選択することができ、この又はこれらのパラメータに対してデータライン表示がその都度発生されることを特徴とする方法。
【請求項１７】
請求項１ないし１６の何れか一項に記載の方法において、監視されるべき前記系が患者であることを特徴とする方法。
【請求項１８】
請求項１ないし１７の何れか一項に記載の方法を実行する装置。
【請求項１９】
請求項１８に記載の装置において、該装置が内部でコンピュータプログラムが動作する少なくとも１つのコンピュータを有し、前記コンピュータプログラムが前記装置を駆動して請求項１ないし１７の何れか一項に記載の方法を実行することを特徴とする装置。
【請求項２０】
請求項１８又は請求項１９に記載の装置のコンピュータ内で動作する場合に、該装置を駆動して請求項１ないし１７の何れか一項に記載の方法を実行するコンピュータプログラム。
【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
支持体と、前記支持体によって支承された賦形層とを有する可とう性成形型であって、
前記支持体が、プラスチック材料の可とう性フィルムからなり、
前記賦形層が、少なくとも１種類のウレタンアクリレートオリゴマー及び少なくとも１種類の（メタ）アクリルモノマーを含む重合性組成物の反応生成物である硬化樹脂からなり、そして
前記硬化樹脂が、０℃以下のガラス転移点を有していることを特徴とする可とう性成形型。
【請求項２】
前記（メタ）アクリルモノマーが、それぞれ、単官能性の（メタ）アクリルモノマー及び２官能性の（メタ）アクリルモノマーから選ばれる、請求項１に記載の可とう性成形型。
【請求項３】
前記重合性組成物が、前記ウレタンアクリレートオリゴマーを１０〜９０重量％の量で含む、請求項１又は２に記載の可とう性成形型。
【請求項４】
可とう性成形型を製造する方法であって、下記の工程：
少なくとも１種類のウレタンアクリレートオリゴマー及び少なくとも１種類の（メタ）アクリルモノマーを含み、硬化後に得られる樹脂が０℃以下のガラス転移点を示す重合性組成物を、母型である金型に適用する工程、
前記金型の上に、プラスチック材料を含む可とう性フィルムを積層する工程、
前記重合性組成物を硬化させる工程、そして
前記金型を離型する工程、
を含んでなることを特徴とする可とう性成形型の製造方法。
【手続補正２】
【補正対象書類名】明細書
【補正対象項目名】発明の名称
【補正方法】変更
【補正の内容】
【発明の名称】可とう性成形型及びその製造方法
【手続補正３】
【補正対象書類名】明細書
【補正対象項目名】０００４
【補正方法】変更
【補正の内容】
【０００４】
一般に、リブ５４は、セラミックの微細構造体からなる。リブ５４は、通常、図２に模式的に示すように、アドレス電極５３とともに背面ガラス基板５１の上に予め設けられてＰＤＰ用背面板を構成している。リブは、その形状や寸法の精度がＰＤＰの性能に大きく影響するので、従来、その製造に用いられる成形型やリブの製造方法においていろいろな改良が加えられている。例えば、ＰＤＰのセル障壁の形状に対応した版面をもつロール凹版の版凹部に放射線硬化性樹脂を充填する工程、フィルム基材を前記ロール凹版に接触させる工程、前記放射線硬化性樹脂を放射線の照射で硬化させて硬化樹脂層を形成する工程、前記硬化樹脂層を前記フィルム基材とともに剥離して、セル障壁と逆凹凸形状のシート凹部をもつ型シートを作製する工程、前記型シートのシート凹部に障壁形成用のガラスペーストを充填する工程、前記型シートをガラス基板に密着させる工程、前記型シートを剥離して、前記ガラスペーストを前記シート凹部から前記ガラス基板に転写する工程、そして前記ガラスペーストを焼成して硬化させる工程を含んでなることを特徴とするＰＤＰのセル障壁を製造する方法が提案されている（特開平８−２７３５３７号公報及び特開平８−２７３５８８号公報）。
【手続補正４】
【補正対象書類名】明細書
【補正対象項目名】０００６
【補正方法】変更
【補正の内容】
【０００６】
従来技術として上記した公開特許公報に記載のセル障壁の製造方法においてもまた、上述のような成形型の製造時の問題を解消できていない。なぜならば、これらの公開特許公報においてシート凹部形成用に使用されている放射線硬化性樹脂は、例えば、９０重量部のペンタエリスリトールトリアクリレート、１０重量部のウレタンアクリレートオリゴマー及び０．７重量部の光重合開始剤（２−ヒドロキシ−2−メチル−１−フェニルプロパン−１−オン）の紫外線硬化性樹脂組成物であり、このような樹脂組成物の場合、主成分として使用されるペンタエリスリトールトリアクリレートは、架橋密度が極めて大きいために、ガラス転移点（Ｔｇ）が高く、したがって硬化収縮も弾性率も大きいからである。また、かかる紫外線光化性樹脂組成物は、剥離変形も大きいのみならず、硬化によって、支持体であるポリエチレンテレフタレート（ＰＥＴ）との間に大きな歪みを生じ、したがって成形型の反り、寸法精度の劣化を防止することができない。
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
少なくとも１つの着色剤、および所望により、溶融剤および/または顕色剤等のさらなる添加剤を、押出工程の開始時にポリマーに添加し、次いで押し出して、サーモクロミックポリマー層を形成する押出を用いる、単層サーモクロミックポリマー層の製造方法。
【請求項２】
ポリマーとして、ポリエチレン、ポリプロピレン、ポリエステル、ポリアミドおよび/またはアクリロニトリル-ブタジエン-スチレン-コポリマーを用いることを特徴とする、請求項１記載の方法。
【請求項３】
着色剤として、ピリジニウムフェノレートベタイン、スルホフタレイン構造、ライチャート着色剤、トリフェニルメタン着色剤、ピラニン、インディケーター着色剤、フルオラン色素またはアゾ色素を用いることに特徴づけられる、請求項１または２に記載の方法。
【請求項４】
溶融剤として、オクタデカノール、ドデカノール、ヒドロキシル酸および/または1-ヘキサデカノールを用いることに特徴づけられる請求項１〜３のいずれか１項に記載の方法。
【請求項５】
顕色剤として、2,2'-ビス(4-ヒドロキシフェニル)プロパン、2,2'-ビス(4-ヒドロキシフェニル)スルホンおよび/または没食子酸ドデシルエステルを用いることに特徴づけられる、請求項１〜４のいずれか１項記載の方法。
【請求項６】
前記着色剤を供給漏斗中の前記ポリマーに添加することに特徴づけられる、請求項１〜５のいずれか１項に記載の方法。
【請求項７】
前記着色剤、前記ポリマーおよび所望によりさらなる添加剤をマスターバッチの形態で用いることに特徴づけられる、請求項１〜６のいずれか１項に記載の方法。
【請求項８】
請求項１〜７のいずれか１項に記載の方法により製造することができるサーモクロミックポリマー層。
【請求項９】
可逆性のカラースイッチングが、1〜25℃のΔＴの広い温度範囲でもたらされることに特徴づけられる、請求項８記載のポリマー層。
【請求項１０】
可逆性のカラースイッチングが1〜2℃のΔＴの狭い温度範囲でもたらされることに特徴づけられる、請求項８記載のポリマー層。
【請求項１１】
前記カラースイッチングに透過性の変化が伴うことに特徴づけられる、請求項８〜１０のいずれか１項に記載のポリマー層。
【請求項１２】
前記ポリマーが1μm〜10cmの層厚を有することに特徴づけられる、請求項８〜１０のいずれか１項に記載のポリマー層。
【請求項１３】
前記層厚が1μm〜1mmの厚さであることに特徴づけられる、請求項１２に記載のポリマー層。
【請求項１４】
前記ポリマー層がポリマーフィルムであることに特徴づけられる、請求項１２または１３に記載のポリマー層。
【請求項１５】
請求項８〜１４のいずれか１項に記載の少なくとも一つのサーモクロミックポリマー層および少なくとも一つの更なるフィルムを含む多層コンポジットシステム。
【手続補正２】
【補正対象書類名】明細書
【補正対象項目名】００１０
【補正方法】変更
【補正の内容】
【００１０】
好ましくは、着色剤は、トリフェニルメタン着色剤、ピリジニウムフェノレートベタイン、スルホフタレイン構造、ライチャート(Reichardt)着色剤、ピラニン、インディケータ着色剤、アゾ色素またはフルオラン色素、例えば2-クロロ-6-ジエチルアミノ-3-メチルフルオランなどの基本構造に基づくものである。
ポリマーとしては、好ましくはポリエチレン、ポリプロピレン、ポリエステル、ポリアミドおよび/またはアクリロニトリル-ブタジエン-スチレン-コポリマーを用いる。しかし、押出工程に現在用いられる全ポリマーを用いることもできる。